Podtech/llm-jp-corpus-v4-ja_patent huggingface dataset:
【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】  単安定配列においてキラルなスメクティック液晶混合物を含む液晶切換またはディスプレイ装置であって、ラビング方向とスメクティック層法線との間の角度対液晶混合物におけるティルト角の比率Δ／Θが、少なくとも０．４１であり、または液晶混合物が、相順列Ｉ−Ｎ−Ｃを有し、ラビング方向と単安定位置との間の角度ρが、少なくとも１°であり、または液晶混合物が、相順列Ｉ−Ｎ−Ｃを有し、ＴＣ、光学的に活性なスメクティック相の存在の範囲の上限の１５℃および５℃下において測定したティルト角の差異が、９．５°より小さいことを特徴とする、前記液晶切換またはディスプレイ装置。
【請求項２】  液晶混合物が、相順列Ｉ−Ｎ−Ｃを有し、２５℃におけるティルト角Θが、１９°〜３９°であることを特徴とする、請求項１に記載の液晶切換またはディスプレイ装置。
【請求項３】  混合物が、１５０ｎＣ／ｃｍ２より小さい自発分極を有することを特徴とする、請求項１または２に記載の液晶切換またはディスプレイ装置。
【請求項４】  装置が、アクティブマトリックスまたはパッシブマトリックスディスプレイであることを特徴とする、請求項１または２に記載の液晶切換またはディスプレイ装置。
【請求項５】  キラルなスメクティック液晶混合物が、以下の特性：
相順列Ｉ−Ｎ−Ｃおよび
５０℃より高いＴＣおよび
１０５℃より低いＴＮＩおよび
１９°＜ティルト角（２５℃）＜３９°および
１５０ｎＣ／ｃｍ２より小さい自発分極および
２μｍより大きいコレステリックヘリックスの間隔
を有し、ＴＣ、光学的に活性なスメクティック相の存在の範囲の上限の１５℃および５℃下において測定したティルト角の差異が、９．５°未満である、請求項１に記載の液晶切換またはディスプレイ装置。
【請求項６】  混合物中の窒素または硫黄含有複素環式化合物の合計の含量が、少なくとも２０重量％であることを特徴とする、請求項５に記載の装置。
【請求項７】  混合物が、少なくとも１種のチオフェン誘導体を含むことを特徴とする、請求項６に記載の装置。
【請求項８】  相順列Ｉ−Ｎ−Ｃを有するキラルなスメクティック液晶混合物であって、全体の混合物を基準として、１０重量％のスメクティックＡインデューサーの添加により、５．５℃より低いｓｍＡ相範囲の発生が生じ、全体の混合物を基準として、２５重量％の添加により、少なくとも０．１℃のｓｍＡ相範囲の発生が生じることを特徴とする、前記キラルなスメクティック液晶混合物。
【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】  ＩＣカードを使用してサーバから端末へのコンテンツのダウンロードおよび使用を容易にするための方法であって、
前記端末を介して、前記サーバから供給されるコンテンツを選択する入力を受け取るステップと、
前記ＩＣカードに含まれた受給資格が、該選択したコンテンツを受け取るのに適正なものであることを検証するステップと、
該検証に応じて、該選択したコンテンツを前記端末を介して前記サーバから受け取るステップと、
該選択したコンテンツを、前記ＩＣカードとは別個の、前記端末のメモリにストアするステップと、
該選択したコンテンツの再使用が試みられたときに、前記受給資格が、該選択したコンテンツの再使用に適正なものであることを検証するステップと
を含むことを特徴とする方法。
【請求項２】  前記選択したコンテンツはソフトウェアアプリケーションであることを特徴とする請求項１に記載の方法。
【請求項３】  前記選択したコンテンツはビデオコンテンツを含むことを特徴とする請求項１に記載の方法。
【請求項４】  前記ＩＣカードは、前記選択したコンテンツの前記再使用を許可する、事前にロードされた受給資格を含むことを特徴とする請求項１に記載の方法。
【請求項５】  前記受給資格は前記サーバから前記ＩＣカードにロードされることを特徴とする請求項１に記載の方法。
【請求項６】  前記サーバから供給される前記選択したコンテンツの一部が暗号化されており、さらに、
前記サーバから供給される前記選択したコンテンツの該暗号化部分を、前記選択したコンテンツの使用と再使用のうち一つが試みられたときに、前記受給資格の機能として解読するステップを含むことを特徴とする請求項１に記載の方法。
【請求項７】  前記受給資格が利用されて前記選択したコンテンツをダウンロードした後、前記ＩＣカード上の受給資格データベースを更新するステップをさらに含むことを特徴とする請求項１に記載の方法。
【請求項８】  前記選択したコンテンツを受け取るのに適正なものであることを検証する前記ステップは、
前記受給資格をダウンロードするステップと、前記受給資格を前記ＩＣカードにストアするステップとを含むことを特徴とする請求項１に記載の方法。
【請求項９】  サーバからコンテンツをダウンロードして再使用するための装置であって、
通信するように前記サーバに結合され、および、前記サーバからの再使用可能なコンテンツを受け取るのに適合した受け取り回路と、
ＩＣカードを受け入れるのに適合したＩＣカードインターフェースと、
前記ＩＣカードとは別個のメモリと、
前記受け取り回路、前記ＩＣカードインターフェース、および前記メモリに結合されたプロセッサとを備え、
該プロセッサは、前記サーバからの前記再使用可能なコンテンツが、前記ＩＣカードインターフェースを介して前記ＩＣカードから受け取った受給資格情報に応じて受け取られて前記メモリにストアされるのを可能にし、
該プロセッサは、前記メモリにストアされた前記再使用可能なコンテンツの再使用を、前記ＩＣカードインターフェースを介して前記ＩＣカードから受け取った前記受給資格情報に応じて可能にすることを特徴とする装置。
【請求項１０】  前記再使用可能なコンテンツが暗号化されており、さらに、
前記メモリに結合された解読モジュールであって、前記ＩＣカードインターフェースを介して前記ＩＣカードから受け取った前記受給資格情報に応じて前記再使用可能なコンテンツを解読するのに適合した解読モジュールを備えることを特徴とする請求項９に記載の装置。
【請求項１１】  前記再使用可能なコンテンツは、ソフトウェアアプリケーションとビデオコンテンツのうち一つを含むことを特徴とする請求項９に記載の装置。
【請求項１２】  前記プロセッサは、前記受け取り回路を介して受け取った新しい受給資格情報を、前記ＩＣカードインターフェースを介して前記ＩＣカードへ送信させるのに適合していることを特徴とする請求項１１に記載の装置。
【手続補正書】
【提出日】平成19年7月3日(2007.7.3)
【手続補正１】
【補正対象書類名】明細書
【補正対象項目名】００２８
【補正方法】変更
【補正の内容】
【００２８】
図４は、液圧−機械式位置追跡コントローラがブレーキ圧力発生器ユニット２に付設されている点が図３と異なっている。この位置追従コントローラは第２の液圧室２４を備えている。この第２の液圧室内には追従ピストン２５が設けられている。追従ピストン２５には調節棒２７が付設されている。追従弁２６が設けられているこの調節棒は第１のピストン４に作用連結され、その位置はばね６の変形によって変化する。車輪ブレーキ８，９，１０，１１の方に向いたポンプ出口側の第３の液圧管路７′は第１の液圧ピストン室２８に案内されている。この第１の液圧ピストン室は追従ピストン２５によって第２の液圧室２４から分離されている。第２の液圧室２４から第４の液圧管路２９が車輪ブレーキ８，９，１０，１１まで案内されている。ブレーキング操作時に、前述の実施の形態と同様に、圧力媒体はばね６を備えた第１の室３から管路７を経てポンプ１６に供給され、圧力を高めて第３の管路７′を経て第１のピストン室２８に案内される。第２の液圧室２４から押し出された圧力媒体容積によって、圧力が管路２９を経て車輪ブレーキ８，９，１０，１１を付勢する。圧力の制御はここでは、追従弁２６によって行われる。この追従弁はポンプによって発生した圧力に相応して、調節棒２７によって開放される。それによって、所定の量の圧力媒体が第５の液圧管路３０を経て圧力媒体補給容器２０に戻され、それによって追従ピストン２５と第４の管路２９を経て車輪ブレーキ８，９，１０，１１に加えられる圧力が制御される。ポンプ１６は更に、逆止弁３２と絞り３３を接続配置した第６の液圧管路３１と、第７の液圧管路３４を介して、圧力媒体補給容器２０に接続されている。それによって、漏洩流、例えば第１のピストン室２８内の圧力媒体の損失を生じる追従ピストン２６の漏洩流を補償することができる。圧力低下はここでは、追従ピストン２５内の中央弁３５と圧力媒体補給容器２０までの管路３０とを介して可能である。
【手続補正書】
【提出日】平成19年6月20日(2007.6.20)
【手続補正１】
【補正対象書類名】明細書
【補正対象項目名】請求項３
【補正方法】変更
【補正の内容】
【請求項３】  車輪加速度限界値（Ｂlim ）が１〜２ｇの範囲、特に約１．５ｇに設定されることを特徴とする請求項２記載の方法。
【手続補正書】
【提出日】平成19年7月11日(2007.7.11)
【手続補正１】
【補正対象書類名】明細書
【補正対象項目名】発明の名称
【補正方法】変更
【補正の内容】
【発明の名称】ガス精製システム及びガス精製方法
【手続補正２】
【補正対象書類名】明細書
【補正対象項目名】特許請求の範囲
【補正方法】変更
【補正の内容】
【特許請求の範囲】
【請求項１】  ａ）水素吸着材を含む水素吸着体と、
ｂ）粒子ろ過器と、
ｃ）入口及び出口を有し、前記水素吸着体と前記粒子ろ過器とを格納するケーシングとを備え、
前記水素吸着体が前記入口近傍にあり、前記粒子ろ過器が前記出口近傍にあり、入口を通って前記ケーシング内に流れ込み出口を通って該ケーシングから出て行くガスを、流路に従って、先ず前記水素吸着材に接触させ、次いで粒子ろ過器に流れるように、前記水素吸着体及び前記粒子ろ過器を前記ケーシング内に配置している、水素吸着及び粒子ろ過ガス精製システム。
【請求項２】  前記粒子ろ過器が、焼結金属から造られている請求項１記載のガス精製システム。
【請求項３】  前記粒子ろ過器が、前記出口のガスの流れから０．００３ミクロンの粒子を実質的に取り除くことができる請求項１記載のガス精製システム。
【請求項４】  前記粒子ろ過器が、ニッケル及びステンレス鋼の少なくともひとつから造られる請求項２記載のガス精製システム。
【請求項５】  前記粒子ろ過器が、複数のフィルタエレメントから構成される請求項２記載のガス精製システム。
【請求項６】  前記フィルタエレメントが、円筒形状である請求項５記載のガス精製システム。
【請求項７】  前記フィルタエレメントが、ディスク形状である請求項５記載のガス精製システム。
【請求項８】  前記水素吸着材が、ジルコウム、パラジウム、白金、ロジウム、ルテニウム、ニッケル、チタン及びこれらの合金からなる群から選ばれる請求項１記載のガス精製システム。
【請求項９】  前記水素吸着材が、ジルコニウム−バナジウム−鉄合金及びジルコニウム−鉄合金からなる群から選ばれる非蒸発性ゲッタ合金から構成される請求項１記載のガス精製システム。
【請求項１０】  さらに温度測定器を備える請求項１記載のガス精製システム。
【請求項１１】  ａ）ガスを１００℃未満に冷却し、
ｂ）該ガスを加圧下において入口からガス精製システムケーシング内に流し、
ｃ）該ガスを加圧下において前記ガス精製システムケーシング内に配設されている水素吸着体と接触させ、
ｄ）該ガスを前記ガス精製システムケーシング内に配設されている粒子ろ過器に流し、
ｅ）該ガスを出口を介して前記ガス精製システムケーシングから流し出すことを含む、半導体製造に充分な純度のレベルまでガスを精製するのに適した方法。
【請求項１２】  前記粒子ろ過器が、焼結金属から造られる請求項１１記載のガスの精製方法。
【請求項１３】  前記粒子ろ過器が、前記出口のガスの流れから０．００３ミクロンの粒子を実質的に取り除くことができる請求項１１記載のガスの精製方法
。
【請求項１４】  前記粒子ろ過器が、ニッケル及びステンレス鋼の少なくともひとつから造られる請求項１２記載のガスの精製方法。
【請求項１５】  前記粒子ろ過器が、複数のフィルタエレメントから構成される請求項１２記載のガスの精製方法。
【請求項１６】  前記フィルタエレメントが、円筒形状である請求項１５記載のガスの精製方法。
【請求項１７】  前記フィルタエレメントが、ディスク形状である請求項１５記載のガスの精製方法。
【請求項１８】  前記水素吸着材が、ジルコニウム、パラジウム、白金、ロジウム、ルテニウム、ニッケル、チタン及びこれらの合金からなる群から選ばれる請求項１１記載のガスの精製方法。
【請求項１９】  前記水素吸着材が、ジルコニウム−バナジウム−鉄合金及びジルコニウム−鉄合金からなる群から選ばれる非蒸発性ゲッタ合金で構成される請求項１１記載のガスの精製方法。
【請求項２０】  さらに前記水素吸着材の温度をモニタリングすることを含む請求項１１記載のガスの精製方法。
【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】軟質及び硬質サブストレートの両方に印刷するためのデュアル
・モード・プリンタであって、
（ｉ）サブストレートを支持するための、ほぼ平面の支持面を提供するテーブル
、
（ｉｉ）前記支持面を横切る任意の送り方向へ軟質サブストレートを送るように
構成した、少なくとも一つのローラを含む軟質サブストレート供給システム、
（ｉｉｉ）前記支持面へ対向させて実装し、印刷プロセスの一部として、サブス
トレート上に印刷媒体を析出するように構成した印刷ヘッド、そして
（ｉｖ）この印刷ヘッドと前記テーブルとに関わり、少なくとも第一の方向へ、
前記印刷ヘッドと前記支持面との間の相対変位を発生させるように構成した移動
システムからなるデュアル・モード・プリンタ。
【請求項２】前記第一の方向が前記送り方向に平行であり、前記サブストレ
ートと前記印刷ヘッドとの間の相対変位が、少なくとも部分的に前記軟質サブス
トレート供給システムによって発生する軟質サブストレート・モードと、前記サ
ブストレートと前記印刷ヘッドとの間の相対変位が、独占的に前記移動システム
によって発生する硬質サブストレート・モードとで利用可能な、請求項１に記載
のデュアル・モード・プリンタ。
【請求項３】前記移動システムが、さらに、前記送り方向に直角な第二の方
向へ、前記支持面に対して前記印刷ヘッドを変位させるように構成され、前記移
動システムが、前記軟質サブストレート・モードと前記硬質サブストレート・モ
ードとの両方において、印刷中、前記第二の方向へ前記印刷ヘッドを変位させる
よう作動する、請求項２に記載のデュアル・モード・プリンタ。
【請求項４】前記印刷ヘッドが大きな寸法及び小さな寸法を持ち、前記大き
な寸法が前記送り方向にほぼ直角に配置される、請求項２に記載のデュアル・モ
ード・プリンタ。
【請求項５】前記印刷ヘッドが大きな寸法及び小さな寸法を持ち、前記大き
な寸法が前記送り方向にほぼ平行に配置され、前記移動システムが、前記送り方
向にほぼ直角な方向へ、独占的に前記印刷ヘッドを変位させるように構成されて
いる、請求項１に記載のデュアル・モード・プリンタ。
【請求項６】前記印刷媒体がインクであり、前記印刷ヘッドがインクジェッ
ト・ヘッドである、請求項１に記載のデュアル・モード・プリンタ。
【請求項７】前記テーブルが、前記支持面上の任意の位置に硬質サブストレ
ートを保持するための固定システムを含む、請求項１に記載のデュアル・モード
・プリンタ。
【請求項８】前記固定システムが、前記支持面に形成した複数の孔を介して
吸引を行うように構成した真空システムを含む、請求項７に記載のデュアル・モ
ード・プリンタ。
【請求項９】軟質及び硬質サブストレートの両方に印刷するためのデュアル
・モード・プリンタであって、
（ｉ）サブストレートを支持するための、ほぼ平面の支持面を提供するテーブル
、
（ｉｉ）少なくとも一つのローラを含み、前記支持面を横切る任意の送り方向へ
軟質サブストレートを送るように構成した軟質サブストレート供給システム、
（ｉｉｉ）前記支持面に対向させて実装し、印刷プロセスの一部として、サブス
トレート上に印刷媒体を析出するように構成した印刷ヘッド、そして
（ｉｖ）前記印刷ヘッドと前記テーブルに繋がれ、少なくとも前記送り方向に平
行な第一の方向へ、前記印刷ヘッドと前記支持面との間の相対変位を発生させる
ように構成した移動システムからなり、
前記サブストレートと前記印刷ヘッドとの間の相対変位が、少なくとも部分的
に前記軟質サブストレート供給システムによって発生する軟質サブストレート・
モードと、前記サブストレートと前記印刷ヘッドとの間の相対変位が、独占的に
前記移動システムによって発生する硬質サブストレート・モードとで利用可能な
デュアル・モード・プリンタ。
【請求項１０】前記印刷媒体がインクであり、前記印刷ヘッドがインクジェ
ット・ヘッドである、請求項９に記載のデュアル・モード・プリンタ。
【手続補正書】
【提出日】平成19年8月1日(2007.8.1)
【手続補正１】
【補正対象書類名】明細書
【補正対象項目名】請求項１
【補正方法】変更
【補正の内容】
【請求項１】  廃棄物のガス抜き及び／又はガス化プロセスからの廃物を乾燥、分離、分級及び粉砕する方法において、固体の廃物を上から又は廃ガスと一緒にシャフト状の室に装入しかつこのシャフト状の室のホッパー状の下方部分内で完全に又は部分的に堆積させ、かつ同時に及び／又は引き続き空気及び廃ガスをガス抜き及び／又はガス化プロセスから分離して下から加圧して室内に導入し、その際空気を実質的に軸方向でかつ廃ガスを実質的に接線方向で前記室内に導入し、それにより室内で固体及びガス状物質の回転対称の噴き上げる渦流を起こし、かつ、引き続き又は連続的プロセス中に乾燥、分離、分級され及び実質的に粉砕された生成物を下に向かって室から排出することを特徴とする、廃物を乾燥、分離、分級及び粉砕する方法。
【手続補正２】
【補正対象書類名】明細書
【補正対象項目名】請求項３
【補正方法】変更
【補正の内容】
【請求項３】  室の円錐台形の底部内の空気を排出シャフトの円形の二重壁部分を通して軸方向で導入する請求項１記載の方法。
【手続補正３】
【補正対象書類名】明細書
【補正対象項目名】請求項４
【補正方法】変更
【補正の内容】
【請求項４】  空気が予熱されている及び／又は空気を６〜８ｋＰａの圧力で室内に導入する請求項１記載の方法。
【手続補正４】
【補正対象書類名】明細書
【補正対象項目名】請求項８
【補正方法】変更
【補正の内容】
【請求項８】  室の円錐台形の底部の領域内で１又は２つの内外にある円錐台形の組込み部材が１又は２つの互いに及び室底部に対して調節可能な環状間隙を形成し、その際一方の環状間隙を通して空気を軸方向でかつ他方の環状間隙を通して廃ガスを接線方向又は半径方向で導入する請求項１記載の方法。
【手続補正書】
【提出日】平成19年6月1日(2007.6.1)
【手続補正１】
【補正対象書類名】明細書
【補正対象項目名】請求項４
【補正方法】変更
【補正の内容】
【請求項４】  前記円板形部材（１’）が、円錐形の金属板製皿形部材（３８）と、補強枠部材（３９）とで構成されており、前記補強枠部材（３９）は、略々軸心方向に延出した複数の円環状補強リブ（４１）を備えており、前記金属板製皿形部材（３８）が、前記複数の円環状補強リブ（４１）に固着されていることを特徴とする請求項１記載の軸付き円板形部材。
【手続補正２】
【補正対象書類名】明細書
【補正対象項目名】００２３
【補正方法】変更
【補正の内容】
【００２３】
図２ａに示した実施の形態では、補強エレメント２４は球体２６としてあり、摩擦溶接の実行に先立って、この球体２６を、中空軸２２の内部空間２５へ圧入し、段部８の丁度裏側に相当する領域２７に配置する。この実施の形態では、球体２６の外径２８を、中空軸２２の内径２９に合わせた寸法にしてある。摩擦溶接を実行してウエブ５を段部８に接合する際、比較的肉厚の薄い中空軸２２が塑性変形することにより、圧入されている球体２６の前後に、円環状のビード（盛り上がり部）３０が形成される。そして、それらビード３０が形成されることによって、軸付き円板形部材４が冷却した後に、球体２６が、中空軸２２の内部空間２５にしっかりと固定されて、流体の漏出を許さない嵌合状態が得られる。そのため、中空軸２２の内部空間２５が、球体２６によって、２つの互いに分離した内部空間１６と１６’とに区画される。更に球体２６の左側に流出口１８を穿設することで、内部空間１６’を、中空軸２２の外周壁１４側へ連通させてあり、これによって媒体流路２１が形成されている。この媒体流路２１は、例えば、軸受へ潤滑油を供給したり、中空軸２２の外周壁１４に形成される油室へ作動圧油を供給したりするために利用することができ、そのような油室は、例えば、中空軸２２と、この中空軸２２に取付けた部品（図２ａでは不図示）とによって、流出口１８の近傍に画成されるものである。球体２６の右側の内部空間１６は、この球体２６によって、左側の内部空間１６’から分離されている。円環状空洞部１３は、もう１つの系統の媒体流路２１’の一部を形成しており、この媒体流路２１’は流出口２０を介して、円板形部材１より右側の中空軸２２の外周壁１４側へ連通しており、また、円板形部材１の流入口３１を介してウエブ５より左側の円板形部材１の外領域３２側へ連通している。従ってこの媒体流路２１’は、円板形部材１と、軸付き円板形部材４の内部空間とを、軸心方向に連通させている。
【手続補正３】
【補正対象書類名】図面
【補正対象項目名】図１ａ
【補正方法】変更
【補正の内容】
【図１ａ】
2003505249.tif 000001
【手続補正書】
【提出日】平成19年6月11日(2007.6.11)
【手続補正１】
【補正対象書類名】明細書
【補正対象項目名】特許請求の範囲
【補正方法】変更
【補正の内容】
【特許請求の範囲】
【請求項１】  身体表面におけるエネルギーチャネルポイント及び他のエネルギーポイントを直接刺激することにより、頭部、顔面部、及び身体における痛みを効果的に軽減するためのマッサージバイブレータであって、
電池により駆動される振動発生器（１６）を取り囲む中心ボディ（１１）と、
前記中心ボディの少なくとも一方の側にある少なくとも一対の弾性アーム（１４）と、
前記アームの各端部にある能動的末端ヘッド（１５）とを備え、
前記各一対のアームの前記末端ヘッドが刺激される前記ポイントに当てられて、前記選択されたポイントにおいて振動によるマッサージを行うために、前記ボディの前記バイブレータにより生じた振動が、前記弾性アームを介して、前記末端ヘッド（１５）に伝えられることを特徴とするマッサージバイブレータ。
【請求項２】  前記弾性アーム（１４）は、前記中心ボディに連結され、内側に対向する湾曲部と相互に湾曲する自由端部とを伴った湾曲形状を有し、該自由端部に対して前記能動的末端ヘッド（１５）が用いられている請求項１に記載のマッサージバイブレータ。
【請求項３】  各能動的末端ヘッドは、球形、楕円形、円筒形、または他の形状のいずれかである請求項１又は２に記載のマッサージバイブレータ。
【請求項４】  前記中心ボディは、必要に応じて前記振動発生器を始動したり停止したりするための電気スイッチ（２０）を備え、
前記スイッチは、前記ボディの回転ふた部の上部に位置するか、または前記ボディの回転ふた部から成る請求項１から３のいずれかに記載のマッサージバイブレータ。
【請求項５】  前記振動発生器は、電磁気装置または電気的に駆動されるカムである請求項１から４のいずれかに記載のマッサージバイブレータ。
【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  反応チャンバと、前記反応チャンバを通過する反応物経路を規定すると共に、反応物配送システムに接続された反応物入口と、前記反応経路を横切って前記反応チャンバを通過する、単一直線経路に従わない光路を規定する光学要素とを備え、
前記反応物入口は概して長方形であり、反応チャンバの幅は前記光路に沿って誘導された入射光ビームの幅よりも実質的に大きいか、概して楕円形であって、反応物ストリームが反応質の横断面積の実質的な分画を覆うか、またはパイウェッジからなる群から選ばれる形状を有する
ことを特徴とする粒子製造装置。
【請求項２】  前記反応物入口は概して長方形であり、反応チャンバの幅は前記光路に沿って誘導された入射光ビームの幅よりも実質的に大きい請求項１に記載の粒子製造装置。
【請求項３】  前記反応物入口は概して楕円形である請求項１記載の粒子製造装置。
【請求項４】  前記光学要素は反射鏡を含む請求項１記載の粒子製造システム。
【請求項５】  反応チャンバと、
前記反応チャンバを通過する反応物経路を規定すると共に、反応物配送システムに接続された反応物入口と、
光源と、
前記反応経路を横切って前記反応チャンバを通過するように前記光源から光ビームを誘導する、集束要素と平行化要素とを備える光学要素と、
を備える粒子製造装置。
【請求項６】  前記集束要素は脱焦球面レンズを含む請求項５記載の粒子製造装置。
【請求項７】  前記平行化光学部品は望遠鏡光学部品を含む請求項５記載の粒子製造装置。
【請求項８】  前記集束要素はシリンドリカルレンズを含む請求項５記載の粒子製造装置。
【請求項９】  反応チャンバ内で反応物ストリームを発生させるように配向された反応物配送装置に接続された反応物入口を有する反応チャンバと、
少なくとも１つの光ビームが前記反応物ストリームを横切る、２つの大体平行な光ビームを誘導するように配置された光学要素と、
を備える粒子製造システム。
【請求項１０】  前記反応チャンバは第２の反応物入口を備え、第１の入口は前記光ビームの１つと交差する反応物ストリームを発生させ、第２の入口は他方の光ビームと交差する反応物ストリームを発生させる請求項９記載の粒子製造システム。
【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】  フェノール系化合物が日焼け止めではないという条件で、
（ａ）  共役リノレイン酸および／またはその誘導体、
（ｂ）  フェノール系化合物またはその混合物、
（ｃ）  皮膚用に許容できる賦形剤、
を含む局所組成物。
【請求項２】  酸および／またはその誘導体の共役リノレイン部分の少なくとも１重量％が、シス９、トランス１１異性体および／またはトランス１０シス１２異性体として存在する、請求項１に記載の局所組成物。
【請求項３】  酸および／またはその誘導体の共役リノレイン部分の少なくとも５０％重量％、好ましくは少なくとも９０重量％が、シス９、トランス１１異性体および／またはトランス１０シス１２異性体として存在する、請求項２に記載の局所組成物。
【請求項４】  フェノール系化合物が、単純フェノール（Ｃ６）、ベンゾキノン（Ｃ６）、フェノール酸（Ｃ６−Ｃ１）、アセトフェノン（Ｃ６−Ｃ２）、フェニル酢酸（Ｃ６−Ｃ２）、ヒドロキシケイヒ酸（Ｃ６−Ｃ３）、フェニルプロペン（Ｃ６−Ｃ３）、クマリン、イソクマリン（Ｃ６−Ｃ３）、クロモン（Ｃ６−Ｃ３）、ナフトキノン（Ｃ６−Ｃ４）、キサントン（Ｃ６−Ｃ１−Ｃ６）、スチルベン（Ｃ６−Ｃ２−Ｃ６）、フラボノイド（Ｃ６−Ｃ３−Ｃ６）、リグナン、ネオリグナン（Ｃ６−Ｃ３）２およびリグニン（Ｃ６−Ｃ３）ｎから選択される、請求項１から３のいずれか一項に記載の局所組成物。
【請求項５】  フェノール系化合物が、フェノール酸、フラボノイド、イソフラボノイドまたはそれらの誘導体または混合物を含む群から選択される、請求項１から４のいずれか一項に記載の局所組成物。
【請求項６】  フェノール系化合物が、  エピガロカテキンガレート、ナリンゲニン、クエルセチン、カテキン、ダイゼイン、ゲニステイン、リセチン（ｌｙｃｅｔｉｎ）、没食子酸または緑茶フェノールである、請求項５に記載の局所組成物。
【請求項７】  フェノール系化合物が、組成物の０．０１〜１０重量％の濃度で存在する、請求項１から６のいずれか一項に記載の局所組成物。
【請求項８】  組成物が、リーブオン（ｌｅａｖｅ  ｏｎ）組成物である、請求項１から７のいずれか一項に記載の局所組成物。
【請求項９】  しわ、たるみ、乾燥、老化および／または光損傷皮膚の治療／予防；皮膚のコラーゲン濃度の増大／維持、皮膚のデコリン濃度の増大／維持、組織補修の改善；炎症皮膚、赤色および／または敏感皮膚の軽減；皮膚のきめ、滑らかさおよび／または引き締まりの改善；皮膚美白；油／皮脂分泌の調節から選択される少なくとも１つの化粧スキンケア効果を提供する化粧方法であって、請求項１から８のいずれか一項に記載の局所組成物を皮膚に塗布することを含む方法。
【請求項１０】  しわ、たるみ、老化、乾燥、および／または光損傷皮膚の治療／予防；皮膚のコラーゲン濃度の増大／維持、皮膚のデコリン濃度の増大／維持、組織補修の改善；炎症皮膚、赤色および／または敏感皮膚の軽減；皮膚のきめ、滑らかさおよび／または引き締まりの改善；皮膚美白；油／皮脂分泌の調節から選択される少なくとも１つのスキンケア効果を提供するための薬剤の製造における、請求項１から８のいずれか一項に記載の化粧組成物の使用。
【請求項１１】  しわ、たるみ、老化、および／または光損傷皮膚の治療／予防；皮膚のコラーゲン濃度の増大／維持、皮膚のデコリン濃度の増大／維持、組織補修の改善；炎症皮膚、赤色および／または敏感皮膚の軽減；皮膚のきめ、滑らかさおよび／または引き締まりの改善；皮膚美白；オイル／皮脂分泌の調節から選択される少なくとも１つのスキンケア効果を提供するための局所組成物の製造における、フェノール系化合物が日焼け止めではないという条件でフェノール系化合物またはその混合物と組合せた共役リノレイン酸および／またはその誘導体の使用。
【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】 単離された骨格筋原細胞及び単離された線維芽細胞を含む、移植可能な組成物。
【請求項２】 前記細胞が自己由来細胞である、請求項１に記載の組成物。
【請求項３】 約２０％乃至約７０％の骨格筋原細胞を含む、請求項１に記載の組成物。
【請求項４】 約５０％の骨格筋原細胞を含む、請求項１に記載の組成物。
【請求項５】 移植前にインビトロで培養される、請求項１に記載の組成物。
【請求項６】 EGFを含む媒質中で、ポリＬリシン及びラミニンで被膜された表面上で培養される、請求項５に記載の組成物。
【請求項７】 FGFを含む媒質中で、コラーゲンで被膜された表面上で培養される、請求項５に記載の組成物。
【請求項８】 最長で約１４日間、インビトロで培養される、請求項１に記載の組成物。
【請求項９】 最長で約７日間、インビトロで培養される、請求項８に記載の組成物。
【請求項１０】 前記細胞に、移植前にインビトロで約一回、倍増を行わせる、請求項５に記載の組成物。
【請求項１１】 前記細胞に、移植前にインビトロで約十回、倍増を行わせる、請求項１０に記載の組成物。
【請求項１２】 前記細胞に、移植前にインビトロで約十回未満、倍増を行わせる、請求項１１に記載の組成物。
【請求項１３】 前記細胞に、移植前にインビトロで約五回、倍増を行わせる、請求項１２に記載の組成物。
【請求項１４】 被験体への移植後、心臓組織にエングラフト（原語：engraft）する、請求項１に記載の組成物。
【請求項１５】 脈管形成が被験体の心臓組織で促進される、請求項１４に記載の組成物。
【請求項１６】 脈管形成性化合物、又は、脈管形成性遺伝子産物を発現するよう操作された細胞、を含む、請求項１４に記載の組成物。
【請求項１７】 前記骨格筋原細胞が、心臓細胞により似るように誘導される、請求項１に記載の組成物。
【請求項１８】 前記骨格筋原細胞が、GATA転写因子を発現するよう操作される、請求項１７に記載の組成物。
【請求項１９】 前記GATA転写因子がGATA4又はGATA6である、請求項１８に記載の組成物。
【請求項２０】 前記組成物中の細胞の表面上にある抗原が、前記組成物を被験体に移植したときの前記細胞の溶解が阻止されるよう、改変、マスキング又は除去される、請求項１に記載の組成物。
【請求項２１】 前記抗原が、前記抗原に結合する抗体又はその一フラグメント又は誘導体でマスキングされる、請求項２０に記載の組成物。
【請求項２２】 前記抗体がモノクローナル抗体である、請求項２１に記載の組成物。
【請求項２３】 前記抗体が抗ＭＨＣクラスＩ抗体である、請求項２１に記載の組成物。
【請求項２４】 前記抗体フラグメントが、抗ＭＨＣクラスＩ抗体フラグメントである、請求項２１に記載の組成物。
【請求項２５】 前記抗ＭＨＣクラスＩ抗体フラグメントが、Ｆ（ａｂ’）２フラグメントである、請求項２４に記載の組成物。
【請求項２６】 前記抗体がPT85又はW6/32である、請求項２１に記載の組成物。
【請求項２７】 前記抗体フラグメントが、PT85又はW6/32の一フラグメントである、請求項２１に記載の組成物。
【請求項２８】 骨格筋原細胞及び線維芽細胞を含む移植可能な組成物を作製する方法であって、前記移植可能な組成物が作製されるよう、EGFを含む媒質中で、ポリ-L-リシン及びラミニンで被膜された表面上で前記組成物を培養するステップを含む、方法。
【請求項２９】 前記細胞が、最長で約１４日間、培養される、請求項２８に記載の方法。
【請求項３０】 線維芽細胞対筋原細胞の比が約1:2乃至1:1であるよう、前記細胞を約１０回、倍増させる、請求項２８に記載の方法。
【請求項３１】 心臓組織の損傷を特徴とする、被験体の一状態を処置するための請求項１に記載の組成物であって、ここで、該状態は、該被験体への該組成物の投与によって処置される、組成物。
【請求項３２】 前記組成物が、損傷した心臓組織への直接の注射により移植される、請求項３１に記載の組成物。
【請求項３３】 カテーテルを用いて前記組成物を注射する、請求項３２に記載の組成物。
【請求項３４】 心臓組織に対する前記損傷が、梗塞又は心筋症である、請求項３１に記載の組成物。
【請求項３５】 前記心臓損傷が、心室壁面に位置する、請求項３２に記載の組成物。
【請求項３６】 前記心臓損傷が、左心室壁面に位置する、請求項３４に記載の組成物。
【請求項３７】 前記組成物が自己由来細胞を含む、請求項３１に記載の組成物。
【請求項３８】 前記組成物が、被験体の冠状血管に移植される、請求項３１に記載の組成物。
【請求項３９】 骨格筋原細胞において心臓細胞表現型を促進する方法であって、心臓細胞表現型が促進されるよう、心臓細胞遺伝子産物を筋原細胞中で組換えにより発現させるステップを含む、方法。
【請求項４０】 前記遺伝子産物がGATA転写因子である、請求項３９に記載の方法。
【請求項４１】 前記GATA転写因子がGATA4又はGATA6である、請求項４０に記載の方法。
【請求項４２】 心筋虚血性損傷を処置するのに充分な量の、被験体の心臓組織の心筋虚血性損傷を処置するための、請求項１に記載の組成物。
【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】  （ａ）ペトロセリン酸及び／またはその誘導体と、
（ｂ）レチノイド及び／またはＬＲＡＴ／ＡＲＡＴインヒビターと、
（ｃ）皮膚科学的に許容されるビヒクルと、
から成る塗り置き型局所用組成物。
【請求項２】  レチノイドがレチノイン酸、レチノール及び／またはレチニルエステルから選択されることを特徴とする請求項１に記載の局所用組成物。
【請求項３】  レチノイドがレチノールであることを特徴とする請求項１または２に記載の局所用組成物。
【請求項４】  レチニルエステルがリノール酸レチニルであることを特徴とする請求項１または２に記載の局所用組成物。
【請求項５】  ＬＲＡＴ／ＡＲＡＴインヒビターが、脂肪アミド、ヒドロキシ脂肪酸アミド、セラミド、メリナミド、イミダゾリジノン、脂環式不飽和炭化水素、テルペン、または、脂肪ヒドロキシエチルイミダゾリン界面活性剤、または、それらの混合物であることを特徴とする請求項１から４のいずれか一項に記載の局所用組成物。
【請求項６】  脂環式不飽和化合物が、脂環式不飽和アルデヒド、ケトン、アルコール及びエステル、例えば、アルファダマスコン、ベータダマスコン、デルタダマスコン、イソダマスコン、ダマセノン、アルファイオノン、ベータイオノン、アリルアルファイオノン、イソブチルイオノン、アルファメチルイオノン、ガンマメチルイオノン、ブラーマノール、サンダノール、アルファテルピネオール、リラール、エチルサフラネート及びそれらの混合物から選択されることを特徴とする請求項５に記載の局所用組成物。
【請求項７】  脂環式不飽和化合物が、αダマスコンまたはαイオノンであることを特徴とする請求項６に記載の局所用組成物。
【請求項８】  脂肪酸アミド中の脂肪酸が、リノール酸、リノレン酸、アラキドン酸、ガンマ−リノレン酸、ホモ−ガンマ−リノレン酸、及び、それらの混合物から選択されることを特徴とする請求項５に記載の局所用組成物。
【請求項９】  脂肪酸アミド中の脂肪酸がリノール酸であることを特徴とする請求項８に記載の局所用組成物。
【請求項１０】  脂肪酸アミドがリノレアミドモノエタノールアミド（ＭＥＡ）であることを特徴とする請求項８に記載の局所用組成物。
【請求項１１】  ヒドロキシ脂肪酸アミドが、ラクトアミド−モノエタノールアミド、Ｃ１３−β−ヒドロキシ酸アミド（２−ヒドロキシ−Ｃ１３−アミド）、Ｎ−ヒドロキシエチル−２−ヒドロキシ−Ｃ１６アミド、１２−ヒドロキシ−Ｎ−（２−ヒドロキシエチル）オクタデカンアミド、及び、ヒマシ油のモノエタノールアミド、及び、それらの混合物であることを特徴とする請求項５に記載の局所用組成物。
【請求項１２】  テルペンが五環性のトリテルペンモノカルボン酸であることを特徴とする請求項５に記載の局所用組成物。
【請求項１３】  セラミドが、アセチルスフィンゴシンであるセラミド誘導体であることを特徴とする請求項５に記載の局所用組成物。
【請求項１４】  皺、たるみ、乾燥肌、老化肌及び／または光損傷肌の治療／予防；皮膚のコラーゲンレベルの増進／維持、皮膚のデコリンレベルの増進／維持、組織修復の増強；刺激肌、赤焼け肌及び／または敏感肌の鎮静；皮膚の肌理、滑らかさ及び／または引き締めの改善；皮膚の美白；油／皮脂分泌の調節；から選択された少なくとも１つの皮膚保護効果を与える化粧方法であって、請求項１から１３のいずれか一項に記載の塗り置き型局所用組成物を皮膚に塗布することから成る方法。
【請求項１５】  皺、たるみ、老化肌、乾燥肌及び／または光損傷肌の治療／予防；皮膚のコラーゲンレベルの増進／維持、皮膚のデコリンレベルの増進／維持、組織修復の増強；刺激肌、赤焼け肌及び／または敏感肌の鎮静；皮膚の肌理、滑らかさ及び／または引き締めの改善；皮膚の美白；油／皮脂分泌の調節；から選択された少なくとも１つの皮膚保護効果を与えるための、請求項１から１３のいずれか一項に記載の組成物の使用。
【請求項１６】  皺、たるみ、老化肌及び／または光損傷肌の治療／予防；皮膚のコラーゲンレベルの増進／維持、皮膚のデコリンレベルの増進／維持、組織修復の増強；刺激肌、赤焼け肌及び／または敏感肌の鎮静；皮膚の肌理、滑らかさ及び／または引き締めの改善；皮膚の美白；油／皮脂分泌の調節；から選択された少なくとも１つの美容的皮膚保護効果を与えるための化粧用局所用組成物におけるペトロセリン酸及び／またはその誘導体とレチノイド及び／またはＬＲＡＴ／ＡＲＡＴインヒビターとの組合せ使用。
【手続補正書】
【提出日】平成19年6月21日(2007.6.21)
【手続補正１】
【補正対象書類名】明細書
【補正対象項目名】特許請求の範囲
【補正方法】変更
【補正の内容】
【特許請求の範囲】
【請求項１】  化合物であって、
（ｉ）以下の構造：
【化１】
2003505466.tif 000001
を有する化合物であって、ここで：
Ｒ１は、
【化２】
2003505466.tif 000002
から選択される基であり；
Ｒ４は、Ｃｌ、ＢｒまたはＩであり；
Ｑは、
【化３】
2003505466.tif 000003
であり；そして
Ｒ７は、Ｑの５’位でＱに結合しており、そして−Ｈ、リン酸基、ホスホジエステル基またはホスホルアミデート基である、化合物；
（ｉｉ）以下の構造：
【化４】
2003505466.tif 000004
を有する化合物であって、ここで：
ＸｄおよびＸｅは独立して、同じであるかまたは異なっており、そしてＣｌ、ＢｒおよびＩから選択される、化合物；
（ｉｉｉ）以下の構造：
【化５】
2003505466.tif 000005
を有する化合物であって、ここで各Ｘは、Ｃｌ、ＢｒおよびＩから選択される、化合物；ならびにそれらの塩、エーテルおよびエステルから選択される、化合物。
【請求項２】 以下の構造：
【化６】
2003505466.tif 000006
を有する化合物、それらの塩、エーテルおよびエステルから選択される、請求項１に記載の化合物であって、
ここで、
Ｒ１は、
【化７】
2003505466.tif 000007
から選択され、
Ｒ４は、Ｃｌ、ＢｒまたはＩであり；
Ｑは、
【化８】
2003505466.tif 000008
であり、そして
Ｒ７は、Ｑの５’位でＱに結合しており、そして−Ｈ、リン酸基、ホスホジエステル基またはホスホルアミデート基である、化合物。
【請求項３】  Ｒ７が、−Ｈである、請求項２に記載の化合物。
【請求項４】  Ｒ７が、アミノ酸から誘導されたホスホルアミデート基である、請求項２に記載の化合物。
【請求項５】  Ｒ７が、アラニンから誘導されたホスホルアミデート基である、請求項２に記載の化合物。
【請求項６】  Ｒ７が、以下：
【化９】
2003505466.tif 000009
である、請求項２に記載の化合物。
【請求項７】  Ｒ７が、以下：
【化１０】
2003505466.tif 000010
である、請求項２に記載の化合物。
【請求項８】  以下の構造：
【化１１】
2003505466.tif 000011
を有する化合物、それらの塩、エーテルおよびエステルから選択される、請求項２〜請求項７のいずれか１項に記載の化合物。
【請求項９】  以下の構造：
【化１２】
2003505466.tif 000012
を有する化合物、それらの塩、エーテルおよびエステルから選択される、請求項２に記載の化合物。
【請求項１０】  以下の構造：
【化１３】
2003505466.tif 000013
を有する化合物、それらの塩、エーテルおよびエステルから選択される、請求項２〜請求項７のいずれか１項に記載の化合物。
【請求項１１】  以下の構造：
【化１４】
2003505466.tif 000014
を有する化合物、それらの塩、エーテルおよびエステルから選択される、請求項２に記載の化合物。
【請求項１２】  以下の構造：
【化１５】
2003505466.tif 000015
を有する化合物、それらの塩、エーテルおよびエステルから選択される、請求項２に記載の化合物。
【請求項１３】  以下の構造：
【化１６】
2003505466.tif 000016
を有する化合物、それらの塩、エーテルおよびエステルから選択される、請求項１に記載の化合物であって、ここで、ＸｄおよびＸｅが独立して、同じであるかまたは異なっており、そしてＣｌ、ＢｒおよびＩから選択される、化合物。
【請求項１４】  ＸｄがＣｌまたはＢｒであり、そしてＸｅがＨである、請求項１３に記載の化合物。
【請求項１５】  以下の構造：
【化１７】
2003505466.tif 000017
を有する化合物、それらの塩、エーテルおよびエステルから選択される、請求項１に記載の化合物であって、ここで各Ｘが、Ｃｌ、ＢｒおよびＩから選択される、化合物。
【請求項１６】  Ｘが、ＣｌまたはＢｒである、請求項１５に記載の化合物。
【請求項１７】  ＸがＢｒである、請求項１５に記載の化合物。
【請求項１８】  請求項１〜１７のいずれか１項に記載の化合物およびキャリアを含む、組成物。
【請求項１９】  請求項１〜１７のいずれか１項に記載の化合物および薬学的に受容可能なキャリアを含む、組成物。
【請求項２０】  ヒトまたは動物の身体の処置方法において使用するための、請求項１〜１７のいずれか１項に記載の化合物。
【請求項２１】  病理学的細胞の増殖を処置または阻害するための薬の調製のための、請求項１〜１７のいずれか１項に記載の化合物の使用。
【請求項２２】  被験体における標的細胞の増殖によって特徴付けられる病状を処置するための薬の調製のための、請求項１〜１７のいずれか１項に記載の化合物の使用。
【請求項２３】  前記病理学的細胞または標的細胞が、化学療法薬物に対して耐性である、請求項２１または請求項２２に記載の使用。
【請求項２４】  前記処置または阻害が前記化学療法薬物を用いた処置をさらに含む、請求項２３に記載の使用。
【請求項２５】  前記病理学的細胞または標的細胞が、化学療法によるインビボでの選択の結果として増幅される標的酵素を発現する、請求項２１〜請求項２４のいずれか１項に記載の使用。
【請求項２６】  前記標的酵素が、前記病理学的細胞または前記標的細胞において過剰発現される内因性細胞内酵素である、請求項２５に記載の使用。
【請求項２７】  前記酵素が、チミジル酸シンターゼである、請求項２５に記載の使用。
【請求項２８】  治療剤についてのスクリーニング方法であって、以下の工程：
（ａ）標的細胞を含むサンプルを、請求項１〜請求項１７のいずれか１項に記載の化合物と接触させる工程；
（ｂ）該標的細胞の別のサンプルを、潜在的治療剤と接触させる工程；および
（ｃ）該サンプルを、細胞増殖の阻害または細胞殺傷について比較する工程
を包含する、方法。
【請求項２９】  前記標的細胞が、化学療法薬物に対して耐性と特徴付けられる、請求項２８に記載の方法。
【請求項３０】  前記標的細胞が、化学療法によるインビボでの選択の結果として増幅される標的酵素を発現すると特徴付けられる、請求項２８に記載の方法。
【請求項３１】  前記標的酵素が、前記標的細胞において過剰発現される内因性細胞内酵素である、請求項２８に記載の方法。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】  (ａ)  デバイスの上表面を確定する裏打ち層、
(ｂ)  - ジヒドロピリジン型のカルシウムアンタゴニスト、
- エタノール、プロパノール、イソプロパノールおよびｎ−デシルアルコールより成る群から選択されるアルコール、
- ピロリドン誘導体、および
- ８〜１６個の炭素原子を含むカルボン酸およびポリヒドロキシアルコールの飽和または不飽和脂肪酸エステル
より成る溶液を含有する薬剤溜め、
(ｃ)  活性成分の放出を制御するための膜、および
(ｄ)  この系を皮膚に貼り付けるための感圧接着剤層、およびもし必要ならばこの接着剤層の外面上の剥離ライナー
より成り、ここで上記裏打ち層と上記膜とが連結して薬剤溜めを形成しているジヒドロピリジン型のカルシウムアンタゴニストを投与するための経皮治療系。
【請求項２】  薬剤溜め中の溶液がジヒドロピリジン型のカルシウムアンタゴニスト、エタノール、Ｎ−メチル−２−ピロリジノンおよびソルビタンパルミテートより成る、請求項１に記載の経皮治療系。
【請求項３】  溶液が全溶液の、３〜５重量％のジヒドロピリジン型のカルシウムアンタゴニスト、３０〜４０重量％のエタノール、３〜５重量％のソルビタンパルミテートおよび５０〜６０重量％のＮ−メチル−２−ピロリジノンを含む、請求項２に記載の経皮治療系。
【請求項４】  スキンパッチの形の請求項１〜３のいずれか１項に記載の経皮治療系。
【請求項５】  ジヒドロピリジン型のカルシウムアンタゴニストがアムロジピン、フェロジピン、イスラジピン、ラシジピン、ニカルジピン、ニフェジピン、ニルバジピン、ニモジピン、ニソルジピン、およびニトレンジピンより成る群から選択される、請求項１〜４のいずれか１項に記載の経皮治療系。
【請求項６】  ジヒドロピリジン型のカルシウムアンタゴニストがラシジピンである、請求項１〜５のいずれか１項に記載の経皮治療系。
【請求項７】  ジヒドロピリジン型のカルシウムアンタゴニストがニフェジピンである、請求項１〜５のいずれか１項に記載の経皮治療系。
【請求項８】  高血圧を包含する心臓血管障害の治療のためにジヒドロピリジン型のカルシウムアンタゴニストをあらかじめ決定された面積の無傷皮膚を通して投与するための請求項１〜７のいずれか１項に記載の経皮治療系の製造のための、ジヒドロピリジン型のカルシウムアンタゴニストの使用。
【請求項９】  溶液を含有する薬剤溜めを包含する請求項１〜７のいずれか１項に記載の経皮治療系において使用するために適当である溶液であって、
- ジヒドロピリジン型のカルシウムアンタゴニスト、
- エタノール、プロパノール、イソプロパノールおよびｎ−デシルアルコールより成る群から選択されるアルコール、
- ピロリドン誘導体、および
- ８〜１６個の炭素原子を含むカルボン酸およびポリヒドロキシアルコールの飽和または不飽和脂肪酸エステル
を含む溶液。
【請求項１０】  ジヒドロピリジン型のカルシウムアンタゴニスト、エタノール、Ｎ−メチル−２−ピロリジノンおよびソルビタンパルミテートを含む、請求項１０に記載の溶液。
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
次の式：
【化１】
2005518413.tif 000001
の化合物又はその製薬上許容される塩。
【請求項２】
次の式：
【化２】
2005518413.tif 000002
の化合物又はその製薬上許容される塩と製薬上許容される担体とを含有する医薬組成物。
【請求項３】
ナイアシンをさらに含有する請求項２に記載の医薬組成物。
【請求項４】
シンバスタチンをさらに含有する請求項２又は３に記載の医薬組成物。